(57)【特許請求の範囲】
【請求項１】
内部に発泡プラスチック材を有するものであってその表面側には熱可塑性プラスチック層を有するシート状の表皮材を所定の温度に加熱する予熱工程と、当該予熱工程にて所定の温度に加熱された表皮材を、所定の形態に成形するものであって雌型側には所定のシボ模様パターン及び真空引き手段を有する金型内に、上記予熱された表皮材のその表面側が上記雌型側に来るように設置するとともに、このような状態において上記金型を型締めする型締め工程と、このように型締めされた状態において、上記雌型側から真空引きを行ないながら上記表皮材の裏面側に所定のプラスチック材を注入するインジェクション工程と、からなるシボ模様付きプラスチック成形体の製造方法において、当該製造方法に用いられる金型のうちの雌型を、所定の鋳鋼にて形成するとともに、当該鋳鋼にて形成された雌型内面側に設けられるシボ模様パターンを所定のエッチング手段にて形成するようにし、更には、成形体の一部に変更が生じたような場合に金型の所定の部分を削り取るか、あるいは、その部分に溶接肉盛を施すとともに、このようにして形成された表面部に新たにエッチング手段を施すことができるようにしたことを特徴とするシボ模様付きプラスチック成形体の製造方法に用いられる金型。
【発明の詳細な説明】
【０００１】
【発明の属する技術分野】
本発明は、シボ模様付きプラスチック成形体の製造方法及び当該製造方法に用いられる金型に関するものであり、特に、上記金型の一部にシボ模様を予め設けておき、このような金型を用いることによって上記シボ模様を本プラスチック成形体の成形と同時に形成させるようにした、表面にシボ模様を有するプラスチック成形体の製造方法に関するものである。
【０００２】
【従来の技術】
従来の、表面にシボ模様を有するプラスチック成形体の製造方法は、表皮材の表面層に予めシボ模様を有するシート状部材を用意し、このような表皮材の裏面側に、例えばインジェクション成形手段等、所定の成形手段を用いて熱可塑性プラスチック材を設置し、これによって所定の形態からなるプラスチック成形体を形成させるようにしているものである。
【０００３】
【発明が解決しようとする課題】
このように、従来の方法においては、表面にシボ模様を有する表皮材を予め用意しておき、このような表皮材を金型内に設置するとともに、その裏面側に所定のプラスチック材を注入すること等によってシボ模様付きのプラスチック成形体を形成（製造）するようにしているものであり、製造工程が大きく２工程に分かれる等、その全体の効率（生産性）が良くないと言う問題点を有する。このような問題点を解決するために、成形工程に用いられる金型に、その内側表面に予めシボ模様パターンの設けられたものを用意し、このような金型を用いることによって、表皮材の表面層へのシボ模様の形成とプラスチック成形体の成形とを、同時に、かつ、一緒に行なわせるようにしたシボ模様付きプラスチック成形体の製造方法を提供しようとするのが、本発明の目的（課題）である。
【０００４】
【課題を解決するための手段】
上記課題を解決するために、本発明においては次のような手段を講ずることとした。すなわち、請求項１記載の発明においては、表面にシボ模様を有するプラスチック成形体の製造方法に用いられる金型に関して、内部に発泡プラスチック材を有するものであってその表面側には熱可塑性プラスチック層を有するシート状の表皮材を所定の温度に加熱する予熱工程と、当該予熱工程にて所定の温度に加熱された表皮材を、所定の形態に成形するものであって雌型側には所定のシボ模様パターン及び真空引き手段を有する金型内に、上記予熱された表皮材のその表面側が上記雌型側に来るように設置するとともに、このような状態において上記金型を型締めする型締め工程と、このように型締めされた状態において、上記雌型側から真空引きを行ないながら上記表皮材の裏面側に所定のプラスチック材を注入するインジェクション工程と、からなるシボ模様付きプラスチック成形体の製造方法において、当該製造方法に用いられる金型のうちの雌型を、所定の鋳鋼にて形成するとともに、当該鋳鋼にて形成された雌型内面側に設けられるシボ模様パターンを所定のエッチング手段にて形成するようにし、更には、成形体の一部に変更が生じたような場合に金型の所定の部分を削り取るか、あるいは、その部分に溶接肉盛を施すとともに、このようにして形成された表面部に新たにエッチング手段を施すことができるようにした。
【０００５】
このような工程を採ることにより、本発明のものにおいては、表面に存在するシボ模様をプラスチック成形体の成形と同時に形成させることができるようになり、このようなプラスチック成形体の製造工程の効率化を図ることができるようになる。すなわち、プラスチック成形体の基礎を成すプラスチック材のインジェクション時（注入時）等に、雌型内面側に設けられたシボ模様パターンが、上記表皮材の表面側を形成する熱可塑性プラスチック材のところに転写されることとなり、シボ模様の形成工程が短縮化されることとなる。その結果、本シボ模様付きプラスチック成形体の製造工程全体が短縮化され、生産性の向上が図られることとなる。
【０００６】
また、本発明のものにおいては、表皮材の表面には、シボ模様が、上記インジェクション工程と同時に行なわれる真空引き工程において、効率良く形成されることとなる。従って、このような表面にシボ模様を有するプラスチック成形体が効率良く形成（製造）されることとなり、全体の生産性の向上が図られることとなる。
【０００７】
また、本発明のものにおいては、表皮材表面へのシボ模様の形成が効率良く行なわれるようになるとともに、本プラスチック成形体の基盤を成す注入プラスチック材と表皮材との結合（一体化）が円滑に行なわれることとなる。その結果、本プラスチック成形体全体の製造効率の向上が図られることとなる。
【０００８】
また、本発明においては、シボ模様付きプラスチック成形体の製造方法に関して、当該製造方法に用いられる金型のうちの雌型を、所定の鋳鋼にて形成するとともに、当該鋳鋼にて形成された雌型内面側に設けられるシボ模様パターンを所定のエッチング手段にて形成するようにした。このような金型を用いることによって、シボ模様の形成とプラスチック成形体の成形とを同時に行なわせることができるようになり、生産性の向上を図ることができるようになる。これに加えて、更に、本発明のものにおいては、シボ模様の形成に寄与する上記シボ模様型（パターン）が鋳鋼を基礎にエッチング手段にて形成されるようになっているので、プラスチック成形体の形態に一部変更点が生じたような場合、雌型の一部を削り取って、その部分に新たにエッチング手段を施すこと等によって、簡単に、設計変更等に対応することができるようになる。従って、設計変更、仕様変更等に機敏に対応することができるようになり、生産性の向上を図ることができるようになる。
【０００９】
【発明の実施の形態】
本発明の実施の形態について、図１ないし図４を基に説明する。本実施の形態に関するものは、シボ模様付きプラスチック成形体の製造方法に関するものであり、基本的には、図１に示す如く、次のような工程からなるものである。すなわち、内部に発泡プラスチック材を有するものであってその表面側には熱可塑性プラスチック層を有するシート状の表皮材１を所定の温度に加熱する予熱工程（Ａ）と、当該予熱工程（Ａ）にて所定の温度に加熱された表皮材１を所定の形態に型成形するものであって所定のシボ模様型（パターン）９１及び真空引き手段９２を有する雌型９並びにインジェクション用注入ポート８１を有する雄型８からなる金型内（図４参照）に、上記予熱された表皮材１をその表面側が上記雌型９側に来るように設置する表皮材セット工程（Ｂ）と、このように表皮材１がセットされた状態において上記金型９、８を型締めする型締め工程（Ｃ）と、このように型締めされた状態において、上記雌型９側から真空引きを行ないながら上記表皮材１の裏面側に雄型８に設けられた注入ポート８１を介して所定のプラスチック材を注入するインジェクション工程（Ｄ）と、上記真空引き工程及びインジェクション工程の行なわれた後、上記両型８、９を型開きして所定の形態に形成されたシボ模様付き成形体を取出す型開き工程（Ｅ）と、からなるものである。
【００１０】
このような工程を採るものにおいて、上記表皮材１は、本実施の形態においては、例えば、図２に示す如く、表面層１１を形成する素材として、シボ模様の転写が比較的容易に行なわれるオレフィン系エラストマー（ＴＰＯ）が用いられるようになっている。そして、中間層１２には、発泡体を形成するものとしてポリプロピレンフォーム材（ＰＰフォーム）が用いられ、更に、裏面層（裏面側）１３には、インジェクション成形により注入される素材（プラスチック材）との接合性を考慮してポリプロピレン（ＰＰ）シート材が用いられるようになっている。当該表皮材１についての他の例としては、図３に示す如く、表面層１１に、上記と同様、オレフィン系エラストマー（ＴＰＯ）を用いるとともに、中間層１２にはポリウレタンフォーム材を用い、更に、裏面層１３には不織布を用いるようにしたもの等が挙げられる。いずれにしても、プラスチック成形体の基盤２を形成する素材として、原材料費の安いポリプロピレン（ＰＰ）が用いられることより、裏面側には上記基盤２との接合性（溶着性）を考慮したもの、例えばポリプロピレン（ＰＰ）あるいは不織布等が用いられることとなる。
【００１１】
次に、このような構成からなる表皮材１を用いたシボ模様付きプラスチック成形体の製造工程について、その具体例を以下に説明する。まず、上記表皮材１を、図１の予熱工程（Ａ）にて、その表面温度が約１７０℃〜１４０℃の範囲内になるように加熱する。そして、このような表面温度を有するように加熱された表皮材１を、次の表皮材セット工程（Ｂ）において、雌型９と雄型８との間に、表皮材１の表面層１１が雌型９側に来るように設置（セット）する。なお、このとき、上記各金型８、９は、その表面温度が約２５℃〜５０℃の値を有するように温められている。また、上記各金型のうち、雌型９の内側表面には、図４に示す如く、所定の形態からなるシボ模様パターン９１がエッチング手段にて形成されるようになっている。また、雄型８側には、インジェクション成形加工時に所定の熱可塑性プラスチック材の注入が行なわれる注入口８１が設けられるようになっている。
【００１２】
なお、本実施の形態において用いられる金型８、９のうち、特に雌型９は、その素材が鋳鋼を基礎に形成されるものであって、その内側表面に設けられるシボ模様パターン９１は、所定のエッチング手段にて形成されるようになっているものである。これによって、本プラスチック成形体の形状等に一部変更が生じたような場合、金型８、９の所定の部分を削り取るか、あるいは、その部分に溶接肉盛を施すとともに、このようにして形成された表面部に新たにエッチング手段を施すことによって、上記一部変更に機敏に対応することができるようになる。一般に、このような金型における模様パターンは、電鋳手段にて形成されるようになっているものである。従って、一部の形状変更等に対しても金型全体を作成し直さなければならないと言う問題点がある。このような問題点に対して、本実施の形態のものにおいては、上記のような工法を採用することによって金型の部分改修にて対処することができるようになる。
【００１３】
このような状態の金型８、９を、次の型締め工程（Ｃ）において、型締めするとともに、これと同時に、上記雌型９側に設けられるものであって複数の真空引き用の開口穴からなる真空引き手段９２を介して、上記表皮材１を雌型９側へ吸引する。また、これと同時に、上記雄型８の注入口８１からは上記シボ模様を有する表皮材１の基盤２を形成する素材（熱可塑性プラスチック材）が上記表皮材１の裏面側のところに注入される。これによって、表皮材１と基盤２とが一体化される。また、これと同時に、真空引きによる吸引力と雄型８側から注入されるプラスチック材のインジェクション圧力とによって、上記表皮材１の表面に設けられた表面層１１のところには雌型９の内側表面に設けられたシボ模様パターン９２が転写されることとなる。このようにしてシボ模様を表面に有するプラスチック成形体が上記一連の工程にて形成されることとなる。また、このようにして形成されたプラスチック成形体は、次の型開き工程（Ｅ）において、両金型８、９から取出される。これによって、シボ模様付きプラスチック成形体の製造工程が完了することとなる。
【００１４】
【発明の効果】
本発明によれば、表面にシボ模様を有するプラスチック成形体の製造方法に関して、内部に発泡プラスチック材を有するものであってその表面側には熱可塑性プラスチック層を有するシート状の表皮材を所定の温度に加熱する予熱工程と、当該予熱工程にて所定の温度に加熱された表皮材を、所定の形態に型成形するものであって雌型側には所定のシボ模様パターン及び真空引き手段を有する金型内に、上記予熱された表皮材のその表面側が上記雌型側に来るように設置するとともに、このような状態において上記金型を型締めする型締め工程と、このように型締めされた状態において、上記雌型側から真空引きを行ないながら上記表皮材の裏面側に所定のプラスチック材を注入するインジェクション工程と、からなるようにしたので、表面層に設けられるシボ模様を、プラスチック成形体の成形と同時に形成させることができるようになり、このようなプラスチック成形体の製造工程の効率化を図ることができるようになった。すなわち、プラスチック成形体の基盤を成すプラスチック材のインジェクション時（注入時）等に、雌型内面側に設けられたシボ模様パターンが、上記表皮材の表面側を形成する熱可塑性プラスチック材のところに転写されることとなり、シボ模様の形成工程が短縮化されるようになった。その結果、本シボ模様付きプラスチック成形体の製造工程全体が短縮化され、生産性の向上が図られるようになった。
【００１５】
また、本発明においては、シボ模様付きプラスチック成形体の製造方法に関して、当該製造方法に用いられる金型のうちの雌型を、所定の鋳鋼にて形成するとともに、当該鋳鋼にて形成された雌型内面側に設けられるシボ模様パターンを所定のエッチング手段にて形成するようにしたので、プラスチック成形体の形態に一部変更点が生じたような場合、雌型の一部を削り取って、その部分に新たにエッチング手段を施すこと等によって、簡単に、設計変更等に対応することができるようになった。従って、設計変更、仕様変更等に機敏に対応することができるようになり、生産性の向上を図ることができるようになった。
【図面の簡単な説明】
【図１】本発明にかかるシボ模様付きプラスチック成形体の製造方法を示す工程図である。
【図２】本発明に用いられる表皮材についての一実施例を示す断面図である。
【図３】本発明に用いられる表皮材についての他の実施例を示す断面図である。
【図４】本発明に用いられる金型の構成を示す断面図である。
【符号の説明】
１  表皮材
１１  表面層
１２  中間層
１３  裏面層（裏面側）
２  基盤
８  雄型
８１  注入口
９  雌型
９１  シボ模様パターン
９２  真空引き手段
【図１】
0004657489.tif 000002
【図２】
0004657489.tif 000003
【図３】
0004657489.tif 000004
【図４】
0004657489.tif 000005